(57)【特許請求の範囲】
【請求項１】
軸筒の外周面に、前記軸筒の長手方向に沿って移動可能に配設されたノック体を有するノック部と、前記ノック体を前記軸筒の長手方向の一方の端部に向けて押下することにより、前記一方の端部から筆記体の筆記先端部を突出させる芯出し機構とを備えたノック式筆記具において、
前記ノック体の押下運動を回転運動に変換する変換機構と、
前記変換機構によって回転される回転子を有し、前記回転子の回転により発電を行う発電部と、を備える、
ことを特徴とするノック式筆記具。
【請求項２】
前記変換機構は、前記ノック体と前記発電部との間に配設されて前記ノック体側から前記発電部側への運動を伝達するとともに前記発電部側から前記ノック体側への運動を遮断するワンウェイクラッチを有する、
ことを特徴とする請求項１に記載のノック式筆記具。
【請求項３】
前記変換機構は、前記ワンウェイクラッチと前記発電部との間に、前記ノック体の押下運動によって一方向に回転するフライホイールを有する、
ことを特徴とする請求項２に記載のノック式筆記具。
【請求項４】
前記発電部によって発電された電力によって光を発生させる発光部を備える、
ことを特徴とする請求項２又は３に記載のノック式筆記具。
【請求項５】
前記発電部によって発電された電力によって音を発生させる第１発音部を備える、
ことを特徴とする請求項２ないし４のいずれか１項に記載のノック式筆記具。
【請求項６】
前記変換機構から伝達される回転運動によって機械的に音を発生させる第２発音部を備える、
ことを特徴とする請求項２ないし４のいずれか１項に記載のノック式筆記具。
【発明の詳細な説明】
【技術分野】
【０００１】
本発明は、ユーザによるノック体の押下動作に伴って発電する発電部を備えたノック式筆記具に関する。
【背景技術】
【０００２】
ノック式ボールペンなどのノック式筆記具に発光キャラクターを取り付けたものが知られている（例えば、特許文献１参照）。
【０００３】
このものは、保持筒部の一方の端部に配設された表示部本体が、発光キャラクターと電池収納部とカバー部とを有していて、保持筒部によってノック可能（押下可能）に保持されている。
【０００４】
表示部本体をユーザが押下すると、芯出し機構を介してボールペン軸のペン先が、保持筒の他方の端部から突出し、また、スイッチングピンにより発光キャラクターが発光する。
【０００５】
これによると、ユーザによる表示部本体の押下動作によって、発光キャラクターが発光するといった、意外性を楽しむことができる、とされている。
【先行技術文献】
【特許文献】
【０００６】
【特許文献１】特開平８−１８７３６５号公報
【発明の概要】
【発明が解決しようとする課題】
【０００７】
しかしながら、上述のノック式ボールペンによれば、発光キャラクターを発光させるための電池が必要であり、電池切れのタイミングを知ることができないため、突然、発光させることができなくなるおそれがある。また、ユーザによる押下動作がスイッチングに対応しているために、意外性に欠如するという問題もあった。
【０００８】
本発明は、上述した事情に鑑みてなされたものであり、電池が不要なため、電池切れのおそれがなく、また、ユーザによるノック体の押下動作に対応して機械的に発電するため、意外性を高めることができるノック式筆記具を提供することを目的とする。
【課題を解決するための手段】
【０００９】
請求項１に係る発明は、軸筒の外周面に、前記軸筒の長手方向に沿って移動可能に配設されたノック体を有するノック部と、前記ノック体を前記軸筒の長手方向の一方の端部に向けて押下することにより、前記一方の端部から筆記体の筆記先端部を突出させる芯出し機構とを備えたノック式筆記具において、前記ノック体の押下運動を回転運動に変換する変換機構と、前記変換機構によって回転される回転子を有し、前記回転子の回転により発電を行う発電部と、を備える、ことを特徴とする。
【００１０】
請求項２に係る発明は、請求項１に係るノック式筆記具において、前記変換機構は、前記ノック体と前記発電部との間に配設されて前記ノック体側から前記発電部側への運動を伝達するとともに前記発電部側から前記ノック体側への運動を遮断するワンウェイクラッチを有する、ことを特徴とする。
【００１１】
請求項３に係る発明は、請求項２に係るノック式筆記具において、前記変換機構は、前記ワンウェイクラッチと前記発電部との間に、前記ノック体の押下運動によって一方向に回転するフライホイールを有する、ことを特徴とする。
【００１２】
請求項４に係る発明は、請求項２又は３に係るノック式筆記具において、前記発電部によって発電された電力によって光を発生させる発光部を備える、ことを特徴とする。
【００１３】
請求項５に係る発明は、請求項２ないし４のいずれか１項に係るノック式筆記具において、前記発電部によって発電された電力によって音を発生させる第１発音部を備える、ことを特徴とする。
【００１４】
請求項６に係る発明は、請求項２ないし４のいずれか１項に係るノック式筆記具において、前記変換機構から伝達される回転運動によって機械的に音を発生させる第２発音部を備える、ことを特徴とする。
【発明の効果】
【００１５】
請求項１の発明によれば、ユーザがノック体を軸筒の長手方向の一方の端部に向けて押下することにより、一方の端部から筆記体の筆記先端部を突出させるとともに、ノック体の押下運動を変換機構により回転運動に変換し、回転子を回転させて発電部により発電することができる。電池が不要なため、電池切れのおそれがなく、また、押下動作に対応して変換機構により機械的に発電するため、意外性を高めることができる。
【００１６】
請求項２の発明によれば、ワンウェイクラッチにより、ノック体側から発電部側への運動は伝達されて、逆方向の運動は伝達されない（遮断される）。これにより、ノック体の押下動作により、ワンウェイクラッチを介して発電部に一方向（正方向）の回転運動が伝達されるが、この回転運動は、その後の、例えばノック体の復帰動作（ノック体の押下動作と逆方向の動作）には影響を受けない。
【００１７】
請求項３の発明によれば、ノック体の押下動作による運動エネルギーが、フライホイールに蓄えられるので、その分、発電部による発電時間を長くとることができる。
【００１８】
請求項４の発明によれば、ノック体の押下動作により、変換機構、発電部を介して、発光部で光を発生させることができる。
【００１９】
請求項５の発明によれば、ノック体の押下動作により、変換機構、発電部を介して、第１発音部で音を発生させることができる。
【００２０】
請求項６の発明によれば、ノック体の押下動作により、変換機構の回転運動によって、第２発音部で機械的に音を発生させることができる。
【図面の簡単な説明】
【００２１】
【図１】ノック式筆記具１の軸筒１０の内側の構成を説明する正面図である。
【図２】（Ａ）は光を発生させるための構成を説明する左側面図であり、（Ｂ）は同じく正面図である。
【図３】（Ａ）は音を発生させるための構成を説明する左側面図であり、（Ｂ）は同じく正面図である。
【図４】太鼓ユニット７０の構成を説明する斜視図である。
【発明を実施するための形態】
【００２２】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２３】
図１〜図４を参照して本発明を適用した実施形態１に係るノック式筆記具１について説明する。
【００２４】
図１〜図４のうち、図１は、ノック式筆記具１の軸筒１０の内側の構成を説明する正面図である。図２（Ａ）は光を発生させるための構成を説明する左側面図であり、（Ｂ）は同じく正面図である。図３（Ａ）は音を発生させるための構成を説明する左側面図であり、（Ｂ）は同じく正面図である。図４は、太鼓ユニット７０の構成を説明する斜視図である。
【００２５】
なお、以下の説明では、便宜上、図１、図２（Ａ），（Ｂ）、図３（Ａ），（Ｂ）のそれぞれの左上に矢印で示す前後左右上下が、ノック式筆記具１の前後左右上下に対応するものとして説明する。
【００２６】
なお、以下の説明で、ギヤ等の回転方向については、図１、図２（Ｂ）、図３（Ｂ）における時計回りを右回り又は右回転とし、反時計回りを左回り又は左回転とする。
【００２７】
図１に示すように、ノック式筆記具１は、軸筒１０とノック部２０と芯出し機構３０と変換機構４０と発電部５０とを備えて構成されている。ノック式筆記具１は、さらに、発光部６０と太鼓ユニット（第２発音部）７０とを備えている。
【００２８】
軸筒１０は、略筒状に形成されている。ここで、軸筒１０の中心軸である軸心Ｃ１に沿った方向を軸筒１０の長手方向（上下方向）とし、また、軸筒１０の長手方向に沿った一方の端部（図１中の下端部）を先端部１０ａ、他方の端部（図１中の上端部）を基端部１０ｂとする。
【００２９】
軸筒１０は、先端部１０ａ側が徐々に縮径するように形成されている。軸筒１０の先端部１０ａには、筆記体３３（例えば、ボールペンの軸芯）の筆記先端部３３ａが出没する透孔１０ｃが形成されている。軸筒１０は、光透過性の部材、例えば、透明や半透明の無色あるいは色つきのプラスチックで形成すれば、内側の構造が外部から視認できるようになるので、ユーザにとって興趣あるものとなる。
【００３０】
ノック部２０は、ノック体２１と第１圧縮ばね２２とを有している。なお、ノック体２１については、図１〜図３において、理解を容易にするために右上がりの斜線を施してある。
【００３１】
ノック体２１全体は、軸筒１０によって昇降可能に支持されている。なお、ノック体２１の下降動作を押下動作（押下運動）、また、上昇動作を復帰動作という。ノック体２１の右側上端には、右下がりの傾斜部からなる押圧部２１ａが設けてある。押圧部２１ａは、例えば、ユーザが親指で押下する部分である。ノック体２１は、第１圧縮ばね２２によって上方に付勢されている。
【００３２】
ノック体２１の左端側には、ラックギヤ２１ｂが形成されている。ラックギヤ２１ｂの各歯は、左向きに配設され、上下方向に多数配列されている。ラックギヤ２１ｂは、後述する変換機構４０の一部を構成するものであり、変換機構４０の第１小ギヤ４１ａに噛合している。
【００３３】
ノック体２１の下端２１ｃは、図３に示す太鼓ユニット（第２発音部）７０の振動皮７２の中央の透孔７２ａを貫通して、図１に示すように、芯出し機構３０の昇降部材３１の上面に当接している。なお、昇降部材３１は、軸筒１０によって昇降自在に支持されていて、第２圧縮ばね３２により、筆記体３３を介して上方に付勢されてストッパ（不図示）に当接されて、図１に示す位置に配置されている。
【００３４】
第１圧縮ばね２２は、軸筒１０の外周面に突設されたばね収納室１０ｄに収納されている。ばね収納室１０ｄは、軸筒１０の右側面の、上下方向の略中央に突設されており、この中に第１圧縮ばね２２が収納されている。第１圧縮ばね２２は、上述のノック体２１を上方に付勢して、図１に示すホームポジションＰ１配置する。
【００３５】
ノック部２０全体は、ノック体２１をユーザが指（例えば親指）で第１圧縮ばね２２の付勢力に抗して矢印Ｋ１方向に押下すると、後述する芯出し機構３０を介して、筆記体３３の筆記先端部３３ａが突出され、また、変換機構４０、発電部５０を介して発光部６０が発光し、また、太鼓ユニット７０から音が出るようになっている。つまり、ノック体２１の押下動作により、芯出し、発光、音出しが行われる。
【００３６】
ノック部２０は、ユーザが押下動作後にノック体２１から指を離すと、第１圧縮ばね２２の付勢力により上方に付勢されて、ホームポジションＰ１に復帰する。
【００３７】
芯出し機構３０は、昇降部材３１と第２圧縮ばね３２と筆記体３３とを有している。
【００３８】
昇降部材３１は、昇降本体３１ａと、この昇降本体３１ａの右側下端部に連結されたＵ字形のばね部３１ｂとが一体に形成されている。昇降本体３１ａは、軸筒１０の内側に形成されたガイド部（不図示）によって昇降可能にガイドされている。昇降本体３１ａは、第２圧縮ばね３２によって、筆記体３３を介して上方に付勢され、ストッパ（不図示）に当接して、図１に示すに配置される。また、この昇降本体３１ａの上面には、上述のノック体２１の下端２１ｃが当接されている。
【００３９】
ばね部３１ｂは、Ｕ字形に形成されていて、左側上端が昇降本体３１ａに連結されるとともに、右側上端には右方に向けて係合凸部３１ｃが突設されている。係合凸部３１ｃは、ばね部３１ｂによって右側に付勢されていて、上述のノック体２１によって昇降本体３１ａが押し下げられると、軸筒１０の係合凹部（透孔）１０ｅに係合するようになっている。
【００４０】
第２圧縮ばね３２は、下端が軸筒１０の一部に取り付けられ、上端が筆記体３３の膨出部３３ｂに係合されていて、筆記体３３を上方に付勢し、その上端を、昇降本体３１ａの下面に当接させている。
【００４１】
筆記体３３は、第２圧縮ばね３２の内側を上下方向に貫通するように配設されていて、第２圧縮ばね３２により上方に付勢されて、上端を昇降本体３１ａの下面に当接させるとともに、下端の筆記先端部３３ａを軸筒１０の透孔１０ｃの少し上方に配置させている。
【００４２】
なお、筆記体３３としては、ボールペンのレフィル等が好適であるが、これ以外に、例えば、シャープペンシルやマーカー等、いずれのものを選択してもよい。
【００４３】
芯出し機構３０全体は、上述のノック体２１の押下動作により、第２圧縮ばね３２の付勢力に抗して昇降部材３１が下降して筆記体３３の筆記先端部３３ａを軸筒１０の透孔１０ｃから突出させ、さらに、昇降部材３１の係合凸部３１ｃが軸筒１０の係合凹部１０ｅを係合することにより、筆記先端部３３ａの突出状態を維持する。これにより、ユーザは、筆記可能となる。なお、この状態を解除するには、ユーザが軸筒１０の係合凹部１０ｅに係合されている係合凸部３１ｃを軸筒１０の内側に押し込むことにより、係合が解除される。これにより、筆記体３３及び昇降部材３１が第２圧縮ばね３２により上方に付勢されて元の位置に復帰する。
【００４４】
変換機構４０は、ノック体２１の押下動作（押下運動、直線運動）を回転動作（回転運動）に変換するものである。変換機構４０は、上述のノック体２１に形成されたラックギヤ２１ｂと、複数の軸（第１軸４１〜第６軸４６）と、これらの軸に取り付けられた複数のギヤによって構成されている。
【００４５】
第１軸４１〜第６軸４６は、その長手方向を前後方向を向けた姿勢で、軸筒１０によって回転自在に支持されている。このうち第１軸４１〜第５軸４５は、下から順に配設されており、残りの第６軸４６は、第１軸４１の下方に配設されている。図１に示すように、これら第１軸４１〜第６軸４６は、略、軸心Ｃ１上に整列されている。
【００４６】
第１軸４１には、図２（Ａ），（Ｂ）に示すように、前側に第１小ギヤ４１ａが、また後側の内側にラチェットギヤ４１ｂが固定され、ラチェットギヤ４１ｂの外側に第１大ギヤ４１ｃが配設されている。
【００４７】
第１小ギヤ４１ａは、上述のノック体２１のラックギヤ２１ｂに噛合している。
【００４８】
ラチェットギヤ４１ｂは、第１軸４１に固定されたスリーブ部とその外周を離間状態で覆うように配設された半円状の２つのばね部とを有している。ばね部は、基端側がスリーブ部に固定され、先端側には、爪ａが形成されていて、ばね部が、次に説明する第１大ギヤ４１ｃの内周面を外側に付勢している。
【００４９】
第１大ギヤ４１ｃは、内周面側に配設された上述のラチェットギヤ４１ｂによって一方向に回転可能に支持されている。第１大ギヤ４１ｃの内周面には、周方向を８等分する位置のそれぞれに段部ｂが形成されている。この段部ｂは、ラチェットギヤ４１ｂが右回転したときは、その爪ａが引っ掛かり、左回転したときには、引っ掛からないようになっている。このため、第１大ギヤ４１ｃは、ラチェットギヤ４１ｂの右回転は、そのまま右回転として伝達され、左回転は、伝達されないようになっている。つまり、ラチェットギヤ４１ｂと第１大ギヤ４１ｃとによって、さらに、詳しくはラチェットギヤ４１ｂの爪ａと第１大ギヤ４１ｃの段部ｂとによって、ワンウェイクラッチが構成されている。
【００５０】
第２軸４２には、後側から順に、第２小ギヤ４２ａ、スペーサ４２ｂ、第２大ギヤ４２ｃが固定されている。第２小ギヤ４２ａは、第１大ギヤ４１ｃに噛合している。
第３軸４３には、前側から順に、第３ギヤ４３ａ、スペーサ４３ｂ、フライホイール４３ｃが固定されている。第３ギヤ４３ａは、第２大ギヤ４２ｃに噛合している。
【００５１】
第４軸４４には、前側から順に、第４ギヤ４４ａ、スペーサ４４ｂが固定されている。第４ギヤ４４ａは、第３ギヤ４３ａに噛合している。なお、第４ギヤ４４ａは、アイドルギヤである。
【００５２】
第５軸４５には、前側から順に、第５ギヤ４５ａ、スペーサ４５ｂが固定され、発電部５０が取り付けられている。第５ギヤ４５ａは、第４ギヤ４４ａに噛合している。
【００５３】
第６軸４６は、図３（Ａ），（Ｂ）に示すように、後側から順に、第６ギヤ４６ａ、スペーサ４６ｂ、偏心ギヤ４６ｃ、スペーサ４６ｄが固定されている。第６ギヤ４６ａは、第１大ギヤ４１ｃに噛合している。スペーサ４６ｂは、図２（Ｂ）に示すように、第１圧縮ばね２２（図１参照）によって上方に付勢されたノック体２１の凹部２１ｄが下方から当接することにより、ノック体２１全体をホームポジションＰ１に配置する。偏心ギヤ４６ｃは、外周が中心に対して偏心していて、外周には、多数の三角形状のセレーションｃが形成されている。偏心ギヤ４６ｃは、後述するようにその回転により、太鼓ユニット７０の振動板７３を振動させながら、接離する。
【００５４】
発電部５０には、図２（Ａ），（Ｂ）に示すように、発電機（モータ）５１が配設されている。発電機５１としては、一般的な発電機を使用することができる。発電機５１は、回転子（電機子又は磁界のうちの一方）と固定子（電機子又は磁界のうちの他方）をと備えている。第５軸４５の回転により、これと一体の回転子が回転することにより、発電が行われる。
【００５５】
発光部６０は、基板６１とＬＥＤ６２とを有している。ＬＥＤ６２は、発電部５０によって発電された電気（電力）により、基板６１を介して発光される。発光部６０に、図１に示すように、発光によって効果的にライトアップされる造形物６４を取付部材６３を介して設けるようにしてもよい。
【００５６】
太鼓ユニット７０は、図３，図４に示すように、第６軸４６の下方に配設されていて、環状部材７１と、この環状部材７１の底面に張設された振動皮７２と、この振動皮７２に立設された振動板７３とを有している。振動皮７２は、樹脂製の膜であり、太鼓の皮に相当するものである。振動皮７２は、中央に方形の透孔７２ａが穿設されている。この透孔７２ａ内を、上述のノック体２１の下端２１ｃが上下に移動する。
【００５７】
太鼓ユニット７０の振動板７３は、金属板を屈曲させて形成されており、基端部７３ａが振動皮７２に固定されている。振動板７３の先端部７３ｂは、上述の偏心ギヤ４６ｃに接離される。すなわち、偏心ギヤ４６ｃは、回転中心となる第６軸４６に対して外周のセレーションｃが偏心している。このため、セレーションｃは、偏心ギヤ４６ｃの１回転中に、振動板７３に対して接触と離間とが行われ、接触時には、振動板７３の先端部７３ｂを細かく振動させる。ユーザには、この接離により、発生する音が高低を有するものに聞こえる。
【００５８】
上述構成のノック式筆記具１は、ユーザが、ノック部２０のノック体２１を、例えば、親指で矢印Ｋ１方向に押下（押下動作）することにより、芯出し、発光、音出しを行うことができる。
【００５９】
まず、芯出しについては、図１に示すように、ノック体２１の押下により、ノック体２１の下端２１ｃが、昇降部材３１を第２圧縮ばね３２の付勢力に抗して下降させ、これにより筆記体３３の筆記先端部３３ａを軸筒１０の先端部１０ａから突出させる。この突出状態は、昇降部材３１の係合凸部３１ｃが軸筒１０の係合凹部１０ｅに係合されることで維持される。ユーザがノック体２１から指を離すと、ノック体２１は、第１圧縮ばね２２の付勢力により、ホームポジションＰ１に復帰する。
【００６０】
なお、筆記体３３は、係合凹部１０ｅに係合されている昇降部材３１の係合凸部３１ｃをユーザが指で軸筒１０内に押しこむことで係合が解除され、第２圧縮ばね３２によって上方に付勢されて、元の位置に復帰する。
【００６１】
次に、発光については、変換機構４０、発電部５０、発光部６０によって行われる。
【００６２】
ユーザがノック体２１を押下すると、ノック体２１のラックギヤ２１ｂが下降し、これに噛合している第１小ギヤ４１ａが右回転し、ラチェットギヤ４１ｂが右回転する。これにより、ラチェットギヤ４１ｂの爪ａが、第１大ギヤ４１ｃの段部ｂに引っ掛かり、第１大ギヤ４１ｃが右回転する。
【００６３】
第１大ギヤ４１ｃの右回転により、第２小ギヤ４２ａ及び第２大ギヤ４２ｃが左回転し、第３ギヤ４３ａ及びフライホイール４３ｃが右回転する。
【００６４】
第３ギヤ４３ａの右回転は、第４ギヤ４４ａを介して、第５ギヤ４５ａに右回転として伝達される。
【００６５】
この回転により、発電部５０の発電機５１の回転子が回転されて、発電が行われる。この発電に伴う電力により、発光部６０のＬＥＤ６２が発光する。
【００６６】
本実施形態に係るノック式筆記具１は、電池が不要なため、電池切れのおそれがなく、また、ノック体２１のノック動作に対応して変換機構４０を介して、発電部５０により機械的に発電するため、ユーザにとって意外性を高めることができる。
【００６７】
また、変換機構４０には、動力伝達経路の途中に、ラチェットギヤ４１ｂ、第１大ギヤ４１ｃからなるワンウェイクラッチが構成されているので、ノック体２１の復帰動作（上昇動作）によってラックギヤ２１ｂが上昇して、これに噛合している第１小ギヤ４１ａが押下動作時の右回転とは逆の左回転した場合であっても、第１大ギヤ４１ｃ及び動力伝達経路における第１大ギヤ４１ｃよりも下流側においては、左回転の影響を受けることなく、右回転を持続することができる。
【００６８】
さらに、変換機構４０には、フライホイール４３ｃが配設されているので、これに蓄えられた回転エネルギーにより、ノック体２１の押下動作後においても、回転を維持して発電を続けることができる。また、ノック体２１の押下動作は、第１小ギヤ４１ａ、第１大ギヤ４１ｃ、第２小ギヤ４２ａ、第２大ギヤ４２ｃ等で増速されて、フライホイール４３ｃに右回転として伝達されるので、フライホイール４３ｃに多くの運動エネルギーを蓄えることができる。
【００６９】
次に、音出しについては、変換機構４０、太鼓ユニット７０によって行われる。
発光のときと同様、ユーザがノック体２１を押下すると、ノック体２１のラックギヤ２１ｂが下降し、これに噛合している第１小ギヤ４１ａが右回転し、ラチェットギヤ４１ｂが右回転する。これにより、ラチェットギヤ４１ｂの爪ａが、第１大ギヤ４１ｃの段部ｂに引っ掛かり、第１大ギヤ４１ｃが右回転する。
【００７０】
この第１大ギヤ４１ｃの右回転により、第６ギヤ４６ａ、偏心ギヤ４６ｃが左回転する。この偏心ギヤ４６ｃの左回転により、太鼓ユニット７０の振動板７３が上述のように振動して、音が発生する。
【００７１】
この際、上述のワンウェイクラッチ及びフライホイール４３ｃにより、ノック体２１の押下動作の終了後、及び復帰動作中，復帰動作後においても、偏心ギヤ４６ｃを回転させることが可能であるので、押下動作終了後にも、音の発生を続けることができる。
【００７２】
以上のノック式筆記具１において、音の発生が不要な場合には、太鼓ユニット７０を省略し、さらにこれに伴って、第６軸４６、第６ギヤ４６ａ、スペーサ４６ｂ，４６ｄ、偏心ギヤ４６ｃを省略することが可能である。
【００７３】
また、上述では、太鼓ユニット７０によって、機械的に音を発生させるようにしたが、これに代えて、発電部５０で発電した電気によって音を出す基板を備えた第１発音部（不図示）を設けるようにしてもよい。この場合、第１発音部は、発電部５０の近傍に設けるとよい。
【００７４】
また、上述のノック式筆記具１において、発光部６０によってライトアップされる造形物６４と、太鼓ユニット７０との間に関係性、統一性を持たせるようにすると、一層、ユーザの興趣を増大させることができる。
【００７５】
例えば、造形物６４が、透明のプラスチックで形成したイルカである場合に、太鼓ユニット７０で発生させる音が、イルカの鳴き声を想起させるような音であるとよい。
【００７６】
また、造形物６４が、透明のプラスチックで形成した自動車である場合に、太鼓ユニット７０で発生させる音が、自動車のエンジン音や走行音を想起させるような音であるとよい。
【００７７】
なお、この点は、メカ的に音を出す太鼓ユニット７０に代えて、電気的に音を出す第１発音部であっても同様である。
【００７８】
また、発光部６０は、基板６１を変更することにより、例えば、３個のＬＥＤ６２を同時に光らせるのではなく、タイミングをずらせて光らせたり、１度目のノック体２１の押下動作では１個のＬＥＤ６２が光り、２度目の押下動作では２個が光り、３回目の押下動作では３個が光り、４回目の押下動作では１個も光らないようにしたり等、光り方に、種々のバリエーションを付加することも可能である。
【００７９】
また、発光部６０に、複数のＬＥＤ６２を配設する場合には、複数の色のＬＥＤ６２を配設して、色の違いを楽しむようにしてもよい。
【００８０】
なお、上述の実施形態では、変換機構４０は、動力を伝達したり、増速したりする部材（構成要素）としてギヤを用いた場合を例に説明したが、必ずしもこれに限定される物ではなく、その一部に例えば、プーリとワイヤ（ベルト）、チェーン等を使用することも可能である。
【符号の説明】
【００８１】
１  ノック式筆記具
１０  軸筒
１０ａ  先端部（一方の端部）
２０  ノック部
２１  ノック体
３０  芯出し機構
３３  筆記体
３３ａ  筆記先端部
４０  変換機構
４１ｂ  ラチェッギヤ（ワンウェイクラッチ）
４１ｃ  第１大ギヤ（ワンウェイクラッチ）
４３ｃ  フライホイール
５０  発電部
５１  発電機
６０  発光部
７０  太鼓ユニット（第２発音部）
【図１】
0006001927.tif 000002
【図２】
0006001927.tif 000003
【図３】
0006001927.tif 000004
【図４】
0006001927.tif 000005